(57)【要約】      （修正有）【課題】印刷された書類の分類や整理がし易いように、ユーザの希望するページ範囲のページ番号を、ユーザの希望する色で印字することのできる画像形成装置を提供する。【解決手段】ページ範囲およびそのページ範囲のページ番号色を設定するためのページ番号色設定手段１２を有する。ページ番号色設定手段１２で設定された内容に従って、印刷する用紙にページ番号を付するページ番号印字手段１４を有する。印刷された用紙は、指定したページ範囲毎に、ページ番号の印字色が異なっている。たとえば章が変わるごとに、ページ番号が異なる色で印字されている。よって、ページ番号の色に基づいて、印刷された書類を整理したり、分類したりすることができる。【選択図】図１
2008203517.tif 000002
【特許請求の範囲】
【請求項１】
印刷する用紙に付するページ番号の印字色を所望の色にできる画像形成装置であって、  ページ範囲およびそのページ範囲のページ番号色を設定するためのページ番号色設定手段と、
前記ページ番号色設定手段で設定された内容に従って、印刷する用紙にページ番号を付するページ番号印字手段と、
を含むことを特徴とする画像形成装置。
【請求項２】
前記ページ番号色設定手段は、
ページ範囲およびそのページ範囲のページ番号色を表示する表示手段と、
前記表示手段に表示されたページ範囲およびページ番号色を変更するための入力操作手段と、
前記表示手段に表示されたページ範囲およびページ番号色を確定するための確定手段と、
を含むことを特徴とする、請求項１記載の画像形成装置。
【請求項３】
前記ページ番号色設定手段は、ページ範囲に対応して、項目を入力し、設定できることを特徴とする、請求項２記載の画像形成装置。
【請求項４】
印刷する用紙に付するページ番号の印字色を所望の色にできる画像形成装置であって、  ページ番号の印字色を、複数色設定するための色設定手段と、
原稿読取手段と、
前記原稿読取手段が白紙を読み取るごとに、前記色設定手段で設定されている印字色を順次切り換える切り換え手段と、
前記切り換え手段で切り換えられた色で、印刷する用紙にページ番号を印字する手段と、
を含むことを特徴とする画像形成装置。
【発明の詳細な説明】
【技術分野】
【０００１】
この発明は、電子写真方式の複写機、プリンタ、ファクシミリ等の画像形成装置に関し、特に、ページ番号の印字に特色を持たせた画像形成装置に関する。
【背景技術】
【０００２】
従来より、特定の書類、たとえばカルテや電話帳においては、インデックスを設け、インデックスを異なる色で印字することにより、カルテの検索や電話帳の検索がし易くできるようにすることが知られている。（特許文献１、特許文献２、特許文献３参照）
【特許文献１】特開平７−９６６９６号公報
【特許文献２】特開平８−２５８７３号公報
【特許文献３】特開２０００−１３５８８５号公報
【発明の開示】
【発明が解決しようとする課題】
【０００３】
従来技術のうち、特許文献１に開示されているように、用紙のたとえば左端部をインデックス領域として利用する場合、インデックス領域に利用されるスペースが用紙全体の印字スペースから奪われるため、印字領域が狭くなるという問題がある。
また、特許文献２や特許文献３に開示されているように、用紙本体からタグやインデックス部分が突出した用紙を用いる場合は、特殊な用紙を準備しなければならない。
【０００４】
このように、従来技術においては、インデックス領域を特別に設けたり、用紙本体から突出するタグやインデックス部分を利用して、そこに印字する印字色を変えることによって、印刷された書類の分類がし易くできるという提案がなされている。
しかしながら、従来技術の提案では、インデックス領域を特別に設けたり、または、タグやインデックスとして突出する部分を有する特殊な用紙を使用することを前提としており、書類の種類にかかわらず、書類の分類や整理のための汎用性のある提案とは言い難い。
【０００５】
この発明は、このような背景のもとになされたもので、画像形成装置により印刷される書類に対し、その書類を分類したり整理したりし易いように印刷が行える画像形成装置を提供することを主たる目的とする。
この発明の他の目的は、印刷された書類の分類や整理がし易いように、ユーザの希望するページ範囲のページ番号を、ユーザの希望する色で印字することのできる画像形成装置を提供することを他の目的とする。
【課題を解決するための手段】
【０００６】
請求項１記載の発明は、印刷する用紙に付するページ番号の印字色を所望の色にできる画像形成装置であって、ページ範囲およびそのページ範囲のページ番号色を設定するためのページ番号色設定手段と、前記ページ番号色設定手段で設定された内容に従って、印刷する用紙にページ番号を付するページ番号印字手段と、を含むことを特徴とする画像形成装置である。
【０００７】
請求項２記載の発明は、前記ページ番号色設定手段は、ページ範囲およびそのページ範囲のページ番号色を表示する表示手段と、前記表示手段に表示されたページ範囲およびページ番号色を変更するための入力操作手段と、前記表示手段に表示されたページ範囲およびページ番号色を確定するための確定手段と、を含むことを特徴とする、請求項１記載の画像形成装置である。
【０００８】
請求項３記載の発明は、前記ページ番号色設定手段は、ページ範囲に対応して、項目を入力し、設定できることを特徴とする、請求項２記載の画像形成装置である。
請求項４記載の発明は、印刷する用紙に付するページ番号の印字色を所望の色にできる画像形成装置であって、ページ番号の印字色を、複数色設定するための色設定手段と、原稿読取手段と、前記原稿読取手段が白紙を読み取るごとに、前記色設定手段で設定されている印字色を順次切り換える切り換え手段と、前記切り換え手段で切り換えられた色で、印刷する用紙にページ番号を印字する手段と、を含むことを特徴とする画像形成装置である。
【発明の効果】
【０００９】
請求項１記載の発明によれば、ページ番号色設定手段により、ユーザは、所望のページ範囲およびそのページ範囲のページ番号を印字色を任意に設定することができる。
そして、ページ番号印字手段は、前記ページ番号色設定手段で設定された内容に従って、印刷する用紙に付するページ番号を印字する。
それゆえ、印刷された用紙は、ページ番号の色に基づいて、分類したり整理したりが容易にできる。一例として、読取原稿に対して、たとえば章ごとにページ番号を色分けして印字すれば、ページ番号の色に基づいて、印刷された書類を章ごとに整理したり、分類したりすることができる。
【００１０】
請求項２記載の発明では、表示手段によりページ範囲およびそのページ範囲のページ番号色が表示されるから、原稿の印刷を開始する前に、ページ範囲とそのページ範囲のページ番号色を確認することができる。そして、ユーザは、必要に応じて、ページ範囲やページ番号色を入力操作手段により変更できる。変更後の内容は、たとえば確定スイッチ（キー）の押下や、所定時間の経過によって確定させることができる。
【００１１】
請求項３記載の発明では、ページ番号色設定手段は、さらに、項目を入力する機能を備えているので、項目とページ番号色とを対応付けて印刷することができる。
請求項４記載の発明では、原稿読取手段が白紙を検出するごとに、ページ番号の印字色が変更される。よって、原稿読取手段にセットする原稿に、予めたとえば章が変わるページとページとの間に白紙を挟んでおくことにより、ページ番号を指定することなく、自動的に、章ごとに異なる色でページ番号が印字される。よって、ページ範囲の設定をしなくても、所望のページ範囲ごとにページ番号の色が異なる印刷書類を得ることができる。
【発明を実施するための最良の形態】
【００１２】
以下には、図面を参照して、この発明の実施形態について具体的に説明をする。
図１は、この発明の一実施形態に係る画像形成装置としての複写機１０の要部構成を示すブロック図である。複写機１０には制御中枢としてのＣＰＵ、ＲＯＭ、ＲＡＭ等の電子回路で構成された制御部１１と、制御部１１により制御される表示・操作部１２と、制御部１１に接続されており、原稿を読み取るための原稿読取部１３と、制御部１１に接続されたプリントエンジン１４とが含まれている。
【００１３】
さらに、制御部１１に接続された通信モデム１５が内蔵されており、通信モデム１５を介して外部のパソコン１６等と接続可能になっている。
表示・操作部１２には、入力操作手段としての各種のファンクションキー１７およびテンキー１８等が備えられており、また、ページ範囲を指定するためのページ番号の表示、そのページ範囲のページ番号色の表示、さらにはページ範囲に対応付けて入力される項目を表示するための領域等を有する表示部１９が備えられている。かかる表示部１９は、表示・操作部１２がたとえば液晶パネルで構成されている場合、後述するページ番号色分けモードが選択されたときに表示される構成とすることができる。
【００１４】
図２は、図１に示す複写機１０におけるページ番号色分けモードの制御内容を表わすフローチャートである。
ユーザが、原稿読取部１３で読み取られる原稿を複写（印刷）する際に、ページ番号の印字を、ページ範囲毎に色を変えて印字したいときには、たとえばファンクションキー１７を操作することにより、ページ番号色分けモードを選択して設定できる。
【００１５】
ページ番号色分けモードでは、表示・操作部１２に、図１に示すように、設定するページ範囲と、ページ番号の印字色と、ページ範囲の項目とが表示される。
この表示を見ながら、たとえばファンクションキー１７やテンキー１８を操作することにより、表示を、
［  １］〜［  ７］［ｒｅｄ」
［  ８］〜［１５］［ｂｌｕｅ］
［１６］〜［２４］［ｐｕｒｐｌｅ］
と設定することができる。
【００１６】
あるいは、上記の設定に加えて、さらに、項目を入力することも可能である。項目が入力された例は、次のようになる。
［  １］〜［  ７］［ｒｅｄ］          ［概要］
［  ８］〜［１５］［ｂｌｕｅ］        ［目的］
［１６］〜［２４］［ｐｕｒｐｌｅ］    ［結果］
図２を参照して、ファンクションキー１７およびテンキー１８が操作されて、上述のページ範囲の設定および色の指定ならびに必要に応じて項目の入力が行われる（ステップＳ１）。
【００１７】
そして、入力されたページ範囲や色の指定が確定したか否かの判別がされる（ステップＳ２）。
入力内容の確定は、たとえばファンクションキー１７の中の「セットキー」（図示せず）が押されることにより判定してもよいし、あるいは、ステップＳ１の処理後、内容に変更がないまま一定時間が経過したときに内容が確定したと判別することもできる。
【００１８】
制御部１１では、内容が確定したことを判別した後、スタートか否かの判別をする（ステップＳ３）。これは、たとえばファンクションキー１７に含まれているスタートキー（図示せず）が押されたか否かにより判別される。
スタートが判別されると、制御部１１は、項目入力があるか否かの判別を行い（ステップＳ４）、項目入力がなされている場合には、目次の印刷を行う（ステップＳ５）。
【００１９】
目次の印刷では、たとえば上述のように項目が入力されている場合、印刷内容は、次の通りとなる。
１．概要…Ｐ１    （←全部を赤色で印字）
２．目的…Ｐ８    （←全部を青色で印字）
３．結果…Ｐ１６  （←全部をパープル色で印字）
ステップＳ４で、項目入力がないと判別されたときには、ステップＳ５で行われる目次の印刷はスキップされる。
【００２０】
そして、原稿読取部１３で読み取られた原稿の印刷が行われる（ステップＳ６）。
この原稿の印刷では、図３に示すように、設定されたページ範囲（たとえば１〜７ページ）は設定された色（たとえば赤色）でページ番号が印字される。同様に、ページ範囲（たとえば８〜１５ページ）は設定された色（たとえば青色）でページ番号が印字され、ページ範囲（たとえば１６〜２４ページ）は、設定された色（たとえばパープル色）でページ番号が印字される。
【００２１】
これにより、プリントエンジン１４から出力される複写書類（印刷書類）は、ページ番号が、設定したページ範囲ごとに異なる色で印字されているから、ページ番号の色を見ながら、分類や整理が容易な複写書類（印刷書類）を得ることができる。
図４は、この発明の他の実施形態に係る制御動作を表わすフローチャートであり、図１に示す複写機１０によって実行される。
【００２２】
図４は、原稿読取部１３に原稿がセットされた際、区分けしたいページとページとの間に白紙を挿入しておくことにより、自動的にページ範囲毎に異なる色でページ番号を印字できる制御動作を表わすフローチャートである。
図４の流れに従って説明すると、まず、表示・操作部１２を用いて色の指定がされる（ステップＳ１１）。たとえば、ページ範囲毎に、色が、「１．赤色、２．青色、３．黄色…」と変わるように指定される。なお、このとき、ページ範囲自体は指定する必要はない。
【００２３】
制御部１１では、指定された色が確定したことを判別し（ステップＳ１２）、スタートキーが押されたことを判別すると（ステップＳ１３）、原稿読取部１３にセットされた原稿を順次読み取り、プリントエンジン１４によってその原稿の複写処理を行う（ステップＳ１４）。
原稿の複写処理においては、ページ番号は、ステップＳ１で設定された最初の指定色Ｎ（この場合Ｎ＝１であり、赤色）でページ番号が印字される。
【００２４】
そして原稿読取部１３で原稿が順次読み取られ、そのうち、ページ範囲を区別したいページとページとの間に挿入された白紙が読み取られる。
制御部１１では白紙が読み取られたことを判別すると（ステップＳ１５）、ステップＳ１１で指定された指定色Ｎを１つ繰り上げて、２番目の指定色２の青色でページ番号が印刷されるように切り換える（ステップＳ１６→Ｓ１７→Ｓ１４）。
【００２５】
そして、白紙が読み取られるごとに、順次ページ番号の印刷色を切り換え、原稿読取部１３で読み取られる原稿がなくなったときに、処理が終了する。
このような処理であれば、ページ範囲を、ページ番号で設定する手間が省け、原稿に対して、ページ範囲を区別したいところに、白紙を挿入して原稿読取部にセットすればよい。
【００２６】
以上の説明は、複写機１０における操作を例にとって説明したが、プリンタに対しても同様に適用することができる。複写機１０がたとえばプリンタとして利用される場合は、図１に示すように、パソコン１６から印字データが送信されてくる。パソコン１６で印字内容を設定する際に、ページ範囲や色の指定を行うことによって、図２で説明した処理と同様の制御処理を行い、得られる印刷物が、ページ範囲ごとにページ番号が異なる色で印字された書類とすることができる。
【００２７】
この発明は、以上説明した実施形態に限定されるものではなく、請求項記載の範囲内において種々の変更が可能である。
【図面の簡単な説明】
【００２８】
【図１】この発明の一実施形態に係る画像形成装置としての複写機１０の要部構成を示すブロック図である。
【図２】図１に示す複写機１０におけるページ番号色分けモードの制御内容を表わすフローチャートである。
【図３】印字されるページ番号色の一例を説明するための図解図である。
【図４】この発明の他の実施形態に係る制御動作を表わすフローチャートである。
【符号の説明】
【００２９】
１０    複写機（画像形成装置）
１１    制御部
１２    表示・操作部（ページ番号色設定手段）
１３    原稿読取部（原稿読取手段）
１４    プリントエンジン（ページ番号印字手段）
【図１】
2008203517.tif 000003
【図２】
2008203517.tif 000004
【図３】
2008203517.tif 000005
【図４】
2008203517.tif 000006